(57)【特許請求の範囲】
【請求項１】
片肩から背中にかけてストラップをたすき状に掛けるための前ストラップピン及び後ストラップピンをそれぞれボディ前部及びボディ後部に備えてなるギターに対し、前記前ストラップピン及び後ストラップピンをそのまま利用して、たすき状のストラップに代えて適用可能なものであって、演奏者の首に掛ける首掛け部を有するネックストラップ部及びこのネックストラップ部の下方に連設されて下端側に前記前ストラップピンに脱着可能な前ストラップピン接続部を有する前ストラップ部と、演奏者の腰回りに巻回したベルトに係合させる係合部を上端側に有し下端側に前記後ストラップピンに脱着可能な後ストラップピン接続部を有する後ストラップ部とを具備し、演奏者の肩と背中にストラップを掛けることなく、ギターの荷重を前記ネックストラップ及び前ストラップ部を介して演奏者の首に、また前記後ストラップ部を介して演奏者の腰にそれぞれ分散させつつ、ギターを、前記ネックストラップ及び前ストラップ部による支持と、前記後ストラップ部による支持とによる独立した２点支持構造を通じて所定の傾き、所定の高さ位置に固定し得るようにしたことを特徴とするギター用ストラップ。
【請求項２】
後ストラップ部の係合部が、ベルトに沿ってウェスト回りに位置変更可能とされていることを特徴とする請求項１記載のギター用ストラップ。
【請求項３】
ネックストラップ部又は前ストラップ部の一部に長さ調整部を設けるとともに、後ストラップ部にも長さ調整部を設け、これらの長さ調整部を独立して長さ調整可能として、ギターの傾き、ギターの高さ位置を調節し得るようにしていることを特徴とする請求項１又は２何れかに記載のギター用ストラップ。
【発明の詳細な説明】
【技術分野】
【０００１】
本発明は、ギターの演奏に特に適した使用状態を与えるギター用ストラップに関するものである。
【背景技術】
【０００２】
従来のギター（ベースを含む）のストラップは、ボディ前部に付帯する前ストラップピンとボディ後部に付帯する後ストラップピンとにストラップを脱着可能に掛け渡して取り付けるようにしているのが通例である。すなわち、演奏姿勢では片肩から背中にかけてたすき状にストラップが掛かった状態をなしている。これは特許文献を引用するまでもなく周知であり、また特に引用すべき特許文献も見当たらないが、強いて挙げるならば下記の非特許文献１〜３が参考となる。
【非特許文献１】GibsonGearホームページ、［online］、平成１８年５月１０日、［平成１８年５月１８日検索］、インターネット＜URL：http://www.gibson.com/Products/Accessories/Gear/Accessories/Straps/＞
【非特許文献２】Fenderホームページ、［online］、平成１８年４月２６日、［平成１８年５月１８日検索］、インターネット＜URL：http://www.fender.jp/catalogue/sa/straps.php/＞
【非特許文献３】ARIAホームページ、［online］、平成１８年１月１７日、［平成１８年５月１８日検索］、インターネット＜URL：http://www.ariaguitars.com/jp/02prod/03acce/strap00.html＞
【発明の開示】
【発明が解決しようとする課題】
【０００３】
しかしながら、このように片肩から背中にかけてたすき状にストラップが掛かっていると、ライブ、コンサート等の演奏時にストラップが片肩から外れたときに、ギターが落下破損し、さらにはライブ、コンサート等の中断を招く場合があった。また、ストラップラインが露出してステージ上の見栄えが悪く、肩への疲労も大きくなるという問題があった。特に、ストラップが掛かる位置には左右に僧帽筋という筋肉が位置しており、一方の僧帽筋のみに負荷が掛かると、いわゆる肩こりと呼ばれる症状が起こることが知られており、まさにストラップのたすき掛けは肩こりを助長する支持構造であると言うことができる。
【０００４】
さらに、演奏でのパフォーマンス時に、たすき状に掛かったストラップで演奏者の体やステージ衣装の片肩、背中部分を傷めてしまうという問題や、スポットライト等による発汗により、体と密着しているストラップ部分が蒸れてしまい、汗染み等によるステージ衣装の痛み、ダメージ、皮膚への悪影響が大きくなるという問題等もあった。
【０００５】
さらに、従来のストラップは、前ストラップピン及び後ストラップピンに対してストラップの長さをそれぞれ独立して調整する事ができないため、ギターの種類や演奏者の体格等に応じたベストポジションを獲得する事が難しいという問題があった。
【０００６】
さらにまた、ストラップが大きなループ状をなしているため、演奏終了後にストラップをつけたままで楽器を壁やスタンドなどに立てかけている最中に、ストラップに足等を引っ掛けて楽器を倒し破損に至る事故が多かった。
【０００７】
本発明は、大切なギター・ベースに穴を開けてストラップピンを移動する加工等を要することなく、ほとんどのエレクトリックギター・ベース等に使用する事ができて、これらの課題を有効に解決することのできる画期的なギター用ストラップを新たに提供することを目的としている。
【課題を解決するための手段】
【０００８】
本発明は、かかる目的を達成するために、次のような手段を講じたものである。
【０００９】
すなわち、本発明に係るギター用ストラップは、片肩から背中にかけてストラップをたすき状に掛けるための前ストラップピン及び後ストラップピンをそれぞれボディ前部及びボディ後部に備えてなるギターに対し、前記前ストラップピン及び後ストラップピンをそのまま利用して、たすき状のストラップに代えて適用可能なものであって、演奏者の首に掛ける首掛け部を有するネックストラップ部及びこのネックストラップ部の下方に連設されて下端側に前記前ストラップピンに脱着可能な前ストラップピン接続部を有する前ストラップ部と、演奏者の腰回りに巻回したベルトに係合させる係合部を上端側に有し下端側に前記後ストラップピンに脱着可能な後ストラップピン接続部を有する後ストラップ部とを具備し、演奏者の肩と背中にストラップを掛けることなく、ギターの荷重を前記ネックストラップ及び前ストラップ部を介して演奏者の首に、また前記後ストラップ部を介して演奏者の腰にそれぞれ分散させつつ、ギターを、前記ネックストラップ及び前ストラップ部による支持と、前記後ストラップ部による支持とによる独立した２点支持構造を通じて所定の傾き、所定の高さ位置に固定し得るようにしたことを特徴とする。
【００１０】
このように構成すると、ライブ、コンサート等の演奏時にネックストラップ部が不慮に外れるおそれがないため、ギターの落下破損、更にはライブ、コンサート等の中断を招く不都合を解消することができる。また、ギターの荷重が主として首の左右の付け根に掛かり片肩の僧帽筋への集中負担となることがないため、肩を痛めたり、肩に疲労が蓄積することも解消することができる。さらに、体に対する拘束が少ないため、動き易く演奏に適した状態を確保することができる。さらにまた、後ストラップ部については、上方にベルトに係合可能な係合部を有し下方に後ストラップピン接続部を有するものとすることで、ギターの荷重が首の左右の付け根と腰の３点に分散されるので、首への負担を軽減することができる。しかも、後ストラップ部はウェスト回りに巻回したベルトに係合させるので、着衣の下にストラップラインをほぼ隠すことができ、ネックストラップ部と相まって全体としてギターを浮いたような状態で支持することが可能となる。
【００１１】
この場合、後ストラップ部の係合部が、ベルトに沿ってウェスト回りに位置変更可能とされていると、後ストラップ部の係合部の位置を腰のサイドから後方に回り込ませることによって、エンドピンが後方に引かれてギターのボディがウェスト回りに移動し、その際にボディの下半部が大腿部に乗り上げる形になるので、第６弦の背後に第５弦〜第１弦が重なった状態から第１弦目までが目視できる方向にギターが起き上がる作用が生じるので、フレットも同時に目視できるようになる事と相まって、通常姿勢でも指押さえがし易い状態となる。このため、演奏状態を改善する効果も見込めるものとなる。
【００１２】
上記において、少なくともネックストラップ部又は前ストラップ部の一部に長さ調整部を設け、後ストラップ部にも長さ調整部を設け、前ストラップ部の調節部及び後ストラップの調節部を独立して長さ調節可能としておけば、ボディー全体の高さ位置や傾きを体格や好みに応じて個別に調整することができ、より的確なベストポジションをとることができるようになる。
【発明の効果】
【００１３】
本発明は、以上説明した構成であるから、ギターを首や腰で支持してストラップの不慮の脱落を防止するとともに、演奏者の負担にならないようにすることができ、動きに対する拘束も少なく、着衣の下にも好適に隠してステージ上の見栄えも向上させ得るようにした新規有用なストラップを提供することが可能となる。勿論、このようなストラップを従来のストラップと交互に用い、従来のストラップにより肩に掛けたり、本発明のストラップにより首に吊るして支持させたりすることで、体への負担をより有効に分散する利用形態も可能となる。
【発明を実施するための最良の形態】
【００１４】
以下、本発明の幾つかの実施形態を、前ストラップピン及び後ストラップピンを有するギターを採り上げつつ、図面を参照して説明する。なお、以下において、後ストラップピンをエンドピンと称し、前ストラップピンを単にストラップピンと称する。
【００１５】
この実施形態で例示するエレクトリックギター・ベース（以下、単に「ギターＧ」と称する）は、図１（ａ）に示すように、ボディ１の前部(ボディ上部とも通称される)１ａにストラップピン１１が付帯し、ボディ１の後部（ボディ下部とも通称される）１ｂにエンドピン１２が付帯する通常のものである。大抵のギターＧは、ボディ前部１ａがネックジョイント部１３からネック１４の幅方向に広がっており、そのうちピックガード１ｃの反対側に位置する部位の端面にストラップピン１１が立っている。ただし、いわゆるフライングＶ等々の変形ギターと称されるギターＧ、又はその他一部の種類のギターＧは、図１（ｂ）に示すように、ボディ背面のネックジョイント部付近にストラップピン１１が演奏者側に立っており、本発明はこのような態様にも適用できるものである。エンドピン１２はボディ後部１ｂの端面に立っている。
【００１６】
そして、従来のストラップは、ストラップピンとエンドピンの間に大きなループをなすように掛け渡し、これを片肩から背にかけてたすき状に掛けて利用するものであったが、本実施形態のストラップは、以下に述べるように異なる構造及び使用状態を実現しているものである。
（第１実施形態）
【００１７】
この実施形態のストラップ２は、図２〜図５に示すように、ネックストラップ部２１、前ストラップ部２２及び後ストラップ部２３から構成されている。
【００１８】
ネックストラップ部２１は、演奏者の首に掛けるループ状の首掛け部２１ａを有し、この首掛け部２１ａの下方に一対のストラップラインを束ねる絞り部２１ｂをリュックカン等により構成して、その下方に回転カン２１ｃを配置している。首掛け部２１ａのうち首に直接接触する部分にはやや厚肉で柔らかい素材からなるネックガード２１ａ１が設けてある。ストラップラインは絞り部２１ｂの上方において２重、絞り部２１ｂから回転カン２１ｃまでの間において４重をなしており、絞り部２１ｂの位置を調節することによって４重となる領域の長さ（したがって２重となる領域の長さ）を変えてネックストラップ部２１全体の長さ調節が行えるようにしている。すなわち、この絞り部２１ｂは長さ調節部を兼ねている。回転カン２１ｃは軸部を介して上部Ｄカン２１ｃ１と下部Ｄカン２１ｃ２とを相対回転可能に接続した通常のもので、ストラップ２のねじれ防止の役割を果たしており、その下部Ｄカン２１ｃ２にバックル式の脱着部２２ｘを構成する上脱着要素２１ｄを取り付けている。
【００１９】
前ストラップ部２２は、下端側にストラップピン１１（図１参照）に対して脱着可能なストラップピン接続部２２ａを有し、上端側に前記上脱着要素２１ｄと対になってバックル式の脱着部２２ｘを構成する下脱着要素２２ｂを有したもので、ストラップピン接続部２２ａにはストラップピン１１にワンタッチで脱着できるロックピンや、単にストラップピン１１を挿通して引掛ける構造の挿通穴等が採用される。
【００２０】
後ストラップ部２３は、図３に示すように、ウェスト回りに係合可能な係合部２３ａを有し、下方にエンドピン１２に対して脱着可能なエンドピン接続部２３ｂを有したもので、この実施形態で係合部２３ａはベルト通し（図示省略）に引っ掛けるフック２３ａ１と、ベルトＢに巻き掛けて止めることのできるジャンパーホック２３ａ２の両方を備えている。エンドピン接続部２３ｂはエンドピン１２にワンタッチで脱着できるロックピンのほか、単にストラップピンを挿通して引掛ける構造の挿通穴等であってもよい。係合部２３ａとエンドピン接続部２３ｂとの間は、この実施形態では回転カン２３ｃ、リュックカンを用いた長さ調節部２３ｄ、及び脱着要素２３ｅ１、２３ｅ２を用いたバックル式の脱着部２３ｅが設けてある。
【００２１】
演奏者がこのストラップを使用する際は、首にネックストラップ部２１の首掛け部２１ａを掛け、上脱着要素２１ｄを前ストラップ部２２の下脱着要素２２ｂに接続するとともに、後ストラップ部２３を右利きであれば右サイド、左利きであれば左サイドのウェスト回りに取り付けて、この後ストラップ部２３の脱着部２３ｅを接続することにより、ギターＧを演奏可能な状態に保持することができる。演奏後は、上記脱着要素２１ｄ、２２ｂの間を解除し、脱着部２３ｅを解離することによって、ネックストラップ部２１や後ストラップ部２３からギターＧを取り外すことができる。
【００２２】
このように構成すると、演奏でのパフォーマンス時にネックストラップ部２１が不慮に外れるおそれがないため、ギターの破損や、ライブ、コンサート等の中断を招く不都合を解消することができる。また、ギターＧの荷重が主として首に掛かり肩への大きな負担とならないため、肩を痛めたり、肩に疲労が蓄積することも有効に解消することができる。しかも、首掛け部２１ａの下方に絞り部２１ｂが設けてあり、首から回り込んだ一対のストラップラインはこの絞り部２１ｂにおいて体の中心付近に束ねられるため、図４に示すようにスーツ等のステージ衣装にてライブ、コンサート等の演奏を行う際に、ストラップラインをネクタイＮの下などに隠すことが容易となり、且つ背中にストラップラインがなくなるためステージ上のプレイヤーの見栄えを格段に向上させることができる。勿論ステージ衣装が図５に示すようなシャツやＴシャツ、或いはジャケット、もしくは図２に示すように衣類を身にまとわず上半身を露出させてライブ、コンサート等の演奏を行う場合等であっても、プレイヤーのステージ上の見栄えを向上させることができる。また、これらの図に明らかなように、体に対する拘束が少ないため、動き易く演奏に適した状態も確保することが可能である。
【００２３】
特に、本実施形態では、ギターＧの荷重の一部が前ストラップ部２２及びネックストラップ部２１を介して首に掛かり、残りが後ストラップ部２３を介して腰に掛かるようにしてあり、首と腰で荷重が分散されるので、首への負担を有効に軽減することができる。しかも、後ストラップ部２３はズボンＺを利用してウェスト回りに掛け止めるものであるので、図２→図４のようにスーツやジャケット等を着ればこの後ストラップ部２３のストラップラインも着衣の下にほぼ隠すことができ、ネックストラップ部２１と相まって全体としてギターＧを浮いたような状態で支持することが可能となる。
【００２４】
この場合、後ストラップ部２３の係合部２３ａは、ベルトＢに沿ってウェスト回りにスライド可能であるため、後ストラップ部２３の係合部２３ａの位置を、例えば図３に矢印Ｙ１で示すように腰サイドから後方に回り込ませることによって、エンドピン１２が矢印Ｙ２のように後方に引かれてギターＧのボディ１がウェスト回りに移動し、その際にボディの裏面下側が下腹部の位置から大腿部に乗り上げる形になるので、演奏者の目線から見て第６弦の背後に第５弦〜第１弦が重なった調整前状態から、図４に想像線及び矢印Ｙ３に示すように第１弦目まで目視できる方向にギターが起き上がる作用が生じる。このときフレットも同時に目視できるようになり、また、ベグが設けられているネックの先端（ヘッド）がネックストラップ部２１及び前ストラップ部２２による規制の中で演奏者の前上方に起立する方向に移動してボディ１が若干立つような形になるので、これらが相まって、通常姿勢でも指押さえのし易い演奏状態が得られ、ギターの保持状態を改善する効果も見込めるものとなる。
【００２５】
さらに、図５に示すように演奏者の背部において首掛け部２１ａから下方の背中部分にストラップラインが存在せず、背中がストラップから完全に解放されるので、背中を痛めることがなくなるだけでなく、発汗等によるストラップ部分の蒸れやそれに起因する種々の不具合も解消することができる。
【００２６】
さらにまた、ネックストラップ部２１及び後ストラップ部２３の双方に長さ調整部２１ｂ、２３ｄを設けており、それらを独立して調節することができるため、ボディー１の高さ位置や傾きを体格や好みに応じて個別に調整することができ、より的確なベストポジションを獲得することができるようになる。
【００２７】
加えて、脱着部２２ｘ、２３ｅを外せばストラップ２が前ストラップ部２２と後ストラップ部２３に分断された状態になり、大きなループ状をなすことがないため、演奏終了後にストラップ２の一部をつけたままでギターＧを壁やスタンドなどに立てかけている状態でストラップ２の一部に足等を引っ掛けてギターＧを倒し破損に至る事故なども解消することができる。
【００２８】
なお、ネックストラップ部２１のみ、或いは前ストラップ部２２のみに調整部を設けても、少なくともヘッドの高さを調整してギターＧの傾きを変えることができるので、ベストポジションをとり易くなる点で依然として有効である。また、上記実施形態ではネックストラップ部２１と前ストラップ部２２の間に脱着部２２ｘが設けてあるが、ネックストラップ部と前ストラップ部は不離一体に、つまりネックストラップ部の先端が前ストラップ部をなすように構成しても構わない。さらに、回転カン２１ｃはストラップのねじれを防止するために設けているものではあるが、ねじれがさほど問題にならない場合にはこれを省略することができる。ネックガード２１ａ１もシャツの上からストラップを首に掛ける場合等には必ずしも必要なものではない。さらにまた、長さ調節部を全く有しない態様によっても、本発明の基本的な作用効果は奏することができる。
（第２実施形態）
【００２９】
図６に示すストラップ４０２は、先端が前ストラップ部４２２を兼ねるネックストラップ部４２１と、後ストラップ部４２３とから構成される。
【００３０】
前ストラップ部４２２は、演奏者の首に掛ける首掛け部４２１ａを有したもので、左右２本のストラップラインはそのまま前ストラップ部４２２へと連続しており、この前ストラップ部４２２の先端が束ねられてロックピンや挿通穴などのストラップピン接続部４２２ａが設けてある。一方、後ストラップ部４２３は、図３の後ストラップ部２３等と同様、ベルトやベルト通しを利用してウェスト回りに係合可能な係合部４２３ａを有したもので、先端にロックピンや挿通穴などのエンドピン接続部４２３ｂを有している。
【００３１】
このように構成した場合、第１実施形態と比較して絞り部が存在しない点、途中に脱着部が存在しない点で異なるものであるが、ギターＧをストラップ４０２で支持した状態では、首元から左右のストラップラインが次第に相寄りながら略直線状に垂れ下がって前ストラップ部４２２へと連続することになる。このため、ネクタイ等の下には隠し難いものの、従来のたすき状に掛かるストラップほど見栄えを大きく損なうものとはならず、構造がシンプルである上に、ネックストラップ部４０２を通して首の付け根に荷重が掛かり肩への負担がなくなる点、首とウェストで負荷を分散できる点などにおいては上記第１実施形態と全く同様の効果を奏するものとなる。
【００３２】
以上、本発明の実施形態について説明したが、本発明の効果を再度まとめると以下のようになる。
【００３３】
従来のギターストラップでは、片肩から背中にかけてたすき状にストラップがかかっているため、ライブ、コンサート等での演奏時にステージ上でパフォーマンスする際、ストラップが肩からはずれてギターが落下破損し、更には演奏が中断する事故も少なくなかったが、本発明によるとこのような事故を有効に回避することが可能となる。
【００３４】
従来のギターストラップは片肩から背中にかけてストラップがかかっているため、演奏時にステージ上でパフォーマンスする際、ステージ衣装の片肩、背中部分を傷めてしまう事があったが、本発明のネックストラップ部やウェストストラップ部を用いてギターを固定すると、上記の不具合が有効に改善される。
【００３５】
従来のギターストラップは片肩から背中にかけてストラップがたすき状にかかっているため、ライブハウス、コンサートホール、野外等の演奏場でライブ、コンサートを行う際、スポットライト等による発汗によりストラップ部分が蒸れてしまい、不衛生の原因となるほか、汗染み等によるステージ衣装のダメージ、ストラップの脱色、皮膚への悪影響があったが、本発明によるとこれらを有効に改善する事ができる。
【００３６】
従来のギターストラップは片肩から背中にかけてストラップがたすき状にかかっているため、全国ツアー等で頻繁にライブ、コンサート等の演奏を行う者や、ギター演奏を職業とする者等にとって、結構な重量があるギターを従来のストラップで支持すれば片肩の僧帽筋への過大な負担となって、肩こりなどの疲労や肩を痛めるケースが多い事は周知であったが、本発明によるとこれらを有効に改善することができる。
【００３７】
従来のギターストラップではほとんどの者が演奏終了後ギターにストラップを付けたまま壁等に立てかけたり、ギタースタンドを利用するので、ストラップに足等をひっかけてギターを倒し破損する事故が多かったが、本発明はバックル等の脱着部を採用し、演奏終了後ワンタッチでギターとストラップの一部を分離する事ができるので、上記の様な事故を防止することができる。
【００３８】
ギターはボディー部分にストラップを取り付けるストラップピン（ボディー前部）とエンドピン（ボディー後部）２箇所を有し構成されている。従来のギターストラップは片肩から背中にかけて１本のストラップが、ストラップピンとエンドピンにたすき状にかかっているため、ストラップピンとエンドピンに対してストラップの長さをそれぞれ独立して調整する事ができなかったが、本発明はネックストラップ部と腰サイドに取り付けるストラップの２つの要素から構成されているので、ストラップピンとエンドピンに対してそれぞれ独立して個々のストラップの長さを調整することが可能となる。これにより、一層細やかなボディー位置上下の調整が可能となり、それぞれ異なるギタープレイヤーに応じたベストポジションを獲得する事が可能となる。
【００３９】
従来のギターストラップでは片肩から背中にかけてたすき状にストラップがかかっているため、ストラップが露出していたが、本発明は着衣の中でストラップを用いてギターを固定することができるので、ストラップをストラップピン（ボディー上部）とエンドピン（ボディー下部）に取り付ける迄のストラップラインの露出が殆どなく、ストラップのラインを隠し、ステージ上の見栄えの向上に資するものとなる。特にステージ衣装の背中部分がデザインされたものや、装飾品又は飾りを有する衣装を使用する場合には非常に有効となものとなる。
【００４０】
本発明は、既存のストラップピン及びエンドピンにそのまま適用することができるので、ヴィンテージギター等の大切で高価なギターに穴開加工を施しストラップピンを移動させる等といった手法を要することなくほとんどのギターに使用する事ができる。そして、何れのストラップ構成要素もシンプルであり、ストラップ紐を初め、絞り部や長さ調節部、脱着部などに既存部品を使用することができるので、量産性を損なわず、このストラップを廉価にて大量に供給することが可能となる。
【００４１】
ライブ、コンサート等では各演奏曲の変わり目に時間がとれない場合が多いが、従来のストラップでは、背中付近に長さ調節部があり長さ調整に時間がかかるので、ライブ、コンサート等の演奏中、曲目に応じてボディーの位置を変更したいというプレイヤーの希望が叶い難かった。これに対して、本発明は数秒で長さ調節が可能となり、且つストラップピン、エンドピンを支持するストラップ部分をそれぞれ独立して長さ調節することができる。これらから、曲目に応じてストラップの長さを調節しボディーのポジションを変更したいプレイヤーには非常に有効なものとなる。具体的には、この曲は始まりから終わりまでほとんどがコードで構成されているのでボディーを下のポジションに調整しライブアクションを強調したい、この曲はソロがあるので高めのポジションに調節したい等々、これまでには実現されなかったプレイヤーの要望に迅速且つ簡易的に応える事ができる。
【００４２】
さらに、従来のギターストラップは片肩から背中にかけてストラップがたすき状にかかっているため、演奏者の目線から見て第６弦の背後に第５弦〜第１弦が隠れ、意図的にギターを６弦全てが見える方向に起こさなければ弾き難い状態にあったが、本発明の後ストラップ部が位置変更可能（必ずしもスライドするものに限られない）であるものは、後ストラップ部をウェストの後方に移動させることによって第１弦までを自然な姿勢で視認できるようにギターを起こすことができ、弾き易さを格段に向上させることができる。
【００４３】
なお、各部の具体的な構成は、上述した実施形態に限定されるものではない。
【００４４】
例えば、ストラップの素材にはナイロン、ポリプロピレン、ポリエステル等の合成繊維を初めとして、布や皮、合成皮革など種々のものを用いることができ、接続カンや回転カン、脱着部、集束カンも、樹脂や金属など種々のものを用いることができる。
【００４５】
また、本発明は、ギターとして、コントラバス等のウッドベースやアップライトベース以外のギター、例えば代表的なエレクトリックベースであるジャズベースタイプやプレシジョンベースタイプ、他には、アコースティックベース、セミアコースティックベース、フォークギター、前ストラップピン及び後ストラップピンを加工して取り付けたクラシックギター、アコースティックギター、エレクトリックアコースティックギター（エレアコ）、フルアコースティックギター、セミアコースティックギター、または、エレクトリックギターの代表的なボディー構造の種類として、ストラトキャスタータイプ、レスポールタイプ、テレキャスタータイプ、ジャズマスタータイプ、ジャガータイプ、ムスタングタイプ、ＳＧタイプ、フライングＶタイプ、エクスプローラータイプ、ファイヤーバードタイプ、その他、サイレントギター、スピーカー・アンプ内臓エレクトリックギターなど、あらゆるギター・ベースに対応することが可能である。
【００４６】
その場合、大切なギター・ベースに穴を開けてストラップピンを移動する加工等を要することなく、ほとんどのエレクトリックギター・ベース等に使用する事ができるのは上述した通りである。
【００４７】
その他の構成も、上述した実施形態のみに限定されるものではなく、例えば、ネックストラップ部にピックホルダーを設けるなど、本発明の趣旨を逸脱しない範囲で種々変形が可能である。
【図面の簡単な説明】
【００４８】
【図１】本発明が適用されるギターの一般的構成を示す図。
【図２】本発明の第１実施形態を使用状態において示す図。
【図３】同実施形態の後ストラップ部を拡大して示す図。
【図４】同実施形態を着衣状態で示す図。
【図５】同実施形態の背面図。
【図６】本発明の第２実施形態を使用状態において示す図。
【符号の説明】
【００４９】
Ｇ…ギター
１ａ…ボディ前部
１ｂ…ボディ後部
１ｃ…ボディ
２…ストラップ
３…ウェストストラップ部
４…肩紐
１１…ストラップピン
１２…エンドピン
２１…ネックストラップ部
２１ａ…首掛け部
２１ｂ…絞り部、長さ調節部
２２…前ストラップ部
２３…後ストラップ部
２３ａ…係合部
２２ａ…ストラップピン接続部
２３ｂ…エンドピン接続部
２３ｄ…長さ調節部
２４…背ストラップ部
【図１】
0004388034.tif 000002
【図２】
0004388034.tif 000003
【図３】
0004388034.tif 000004
【図４】
0004388034.tif 000005
【図５】
0004388034.tif 000006
【図６】
0004388034.tif 000007